(57)【要約】【課題】全体の構成が非常に簡易で、且つ使用者に負担をかけずに長期にわたって継続使用でき、しかも良好な効能、効果が得られる健康器具を提供することを課題とする。【解決手段】膝にかけるべく複数本の紐１１ａを束ねた紐状体１１と、足裏を押圧すべく該紐状体１１に設けられる板状体２０とにより環状に形成されている。【選択図】図１
0003130996.tif 000002
【実用新案登録請求の範囲】
【請求項１】
膝にかけるべく複数本の紐を束ねた紐状体と、足裏を押圧すべく該紐状体に設けられる板状体とにより環状に形成されてなることを特徴とする健康器具。
【請求項２】
膝にかけるべく複数本の紐を束ねた環状の紐状体と、足裏を押圧すべく該紐状体に設けられる板状体とを備えてなることを特徴とする健康器具。
【請求項３】
前記複数本の紐を束ねるべく該紐が所定間隔を有して結着紐により結着されてなる請求項１又は２記載の健康器具。
【請求項４】
前記紐及び結着紐が撚りをかけたポリプロピレン製のロープで構成されてなる請求項１乃至３の何れかに記載の健康器具。
【請求項５】
前記板状体の両側に紐状体を挿入するための切欠が設けられ、且つ該切欠に連通させて前記紐状体を挿着するための円孔が設けられてなり、しかも該円孔の内径は前記切欠の幅よりも大なる寸法に設定されてなる請求項１乃至４の何れかに記載の健康器具。
【請求項６】
前記板状体が２枚の板材を重ね合わせて構成されてなる請求項１乃至５の何れかに記載の健康器具。
【請求項７】
前記板状体のうち下方側の板材の外周面が円弧状のテーパ面で構成されてなる請求項１乃至６の何れかに記載の健康器具。
【請求項８】
前記板状体が可製撓性を有する合成樹脂からなる請求項１乃至７の何れかに記載の健康器具。
【請求項９】
前記板状体の厚みが１１ｍｍで構成されてなる請求項１乃至８の何れかに記載の健康器具。
【考案の詳細な説明】
【技術分野】
【０００１】
本考案は健康器具、さらに詳しくは例えば経穴や神経を押圧して刺激を与えることにより、血行を良くして体調を整えると共に、腹筋や膝の運動をも図ることができる健康器具に関する。
【背景技術】
【０００２】
近年の健康ブーム、フィットネスブームによって健康器具の市場は大幅に拡大しており、極めて広範囲な分野において多種多様な商品が開発、販売されるに至っている。その一例としては、例えば次に示すような健康器具が存在する。
【特許文献１】実登第３０４５３４８号公報（第４頁、図１）。
【０００３】
即ち、この従来の健康器具は、図１１に示すように回転取手３０の回転操作により基台３１上に配設した平板３２の一端側が上昇するように構成したものであり、該一端側に設けた柱３３に固定した腰バンド３４を使用者３５の腰に装着して、腰や顎の疲労を回復を図れるようにしたものである。
【考案の開示】
【考案が解決しようとする課題】
【０００４】
しかしながら、上記従来の健康器具は、全体の構成がとても複雑であり、製作費用が嵩むという問題点を有していた。
【０００５】
また、腰バンド３４の腰への装着や器具の操作等が非常に厄介であるため、従来一般にこの種の健康器具が有していた使用の継続の困難性という面を具有する欠点もあった。
【０００６】
本考案は、かかる問題点を解消すべくなされたものであり、全体の構成が非常に簡易で、且つ使用者に負担をかけずに長期にわたって継続使用でき、しかも良好な効能、効果が得られる健康器具を提供することを目的とする。
【課題を解決するための手段】
【０００７】
請求項１に記載の健康器具は、膝にかけるべく複数本の紐を束ねた紐状体と、足裏を押圧すべく該紐状体に設けられる板状体とにより環状に形成されてなることを特徴とする。
【０００８】
請求項１に記載の考案にあっては、使用者は椅子等に座って足を床から浮かした状態で、板状体を当てながら膝に紐状体をかけて健康器具を使用する。そして、この状態で板状体に当接した足裏部分を支点として足先及び踵を上下に動かすと、紐状体により膝にある経穴や神経が押圧されると共に、板状体により足裏の経穴や神経が押圧されることになる。
【０００９】
請求項２に記載の健康器具は、膝にかけるべく複数本の紐を束ねた環状の紐状体と、足裏を押圧すべく該紐状体に設けられる板状体とを備えてなることを特徴とする。
【００１０】
請求項２に記載の考案にあっては、使用者は椅子等に座って足を床から浮かした状態で、足裏に板状体を当てながら膝に紐状体をかけて健康器具を使用する。そして、この状態で板状体に当接した足裏部分を支点として足先及び踵を上下に動かすと、紐状体により膝にある経穴や神経が押圧されると共に、板状体により足裏の経穴や神経が押圧されることになる。
【００１１】
請求項３に記載の健康器具は、請求項１又は２記載の健康器具において、前記複数本の紐を束ねるべく該紐が所定間隔を有して結着紐により結着されてなることを特徴とする。
【００１２】
請求項３に記載の考案にあっては、複数本の紐が所定間隔を有して結着紐により結着されて良好に束ねられることになる。
【００１３】
請求項４に記載の健康器具は、請求項１乃至３の何れかに記載の健康器具において、前記紐及び結着紐が撚りをかけたポリプロピレン製のロープで構成されてなることを特徴とする。
【００１４】
請求項４に記載の考案にあっては、上記にような足部に運動により紐状体が適度に伸縮して、その押圧力が膝と、板状体を介して足裏とに作用することになる。
【００１５】
請求項５に記載の健康器具は、請求項１乃至４の何れかに記載の健康器具において、前記板状体の両側に紐状体を挿入するための切欠が設けられ、且つ該切欠に連通させて前記紐状体を挿着するための円孔が設けられてなり、しかも該円孔の内径は前記切欠の幅よりも大なる寸法に設定されてなることを特徴とする。
【００１６】
請求項５に記載の考案にあっては、紐状体は板状体の切欠から挿入して該切欠の幅よりも大なる内径を有する円孔内に挿着することにより、板状体を紐状体に取着できる。
【００１７】
請求項６に記載の健康器具は、請求項１乃至５の何れかに記載の健康器具において、前記板状体が２枚の板材を重ね合わせて構成されてなることを特徴とする。
【００１８】
請求項６に記載の考案にあっては、上記のように紐状体からの押圧力は２枚の板材を介して足裏に作用することになる。
【００１９】
請求項７に記載の健康器具は、請求項１乃至６の何れかに記載の健康器具において、前記板状体のうち下方側の板材の外周面が円弧状のテーパ面で構成されてなることを特徴とする。
【００２０】
請求項７に記載の考案にあっては、外周面が円弧状のテーパ面に構成されて板状体の重量が軽減されることになる。
【００２１】
請求項８に記載の健康器具は、請求項１乃至７の何れかに記載の健康器具において、前記板状体が可製撓性を有する合成樹脂からなることを特徴とする。
【００２２】
請求項８に記載の考案にあっては、紐状体から一定以上の押圧力が板状体に作用した場合、板状体が撓んで押圧力が軽減され、これが足裏に作用することになる。
【００２３】
請求項９に記載の健康器具は、請求項１乃至８の何れかに記載の健康器具において、前記板状体の厚みが１１ｍｍで構成されてなることを特徴とする。
【００２４】
請求項９に記載の考案にあっては、紐状体の押圧力が１１ｍｍの厚みを有する板状体を介して足裏に作用することになる。
【考案の効果】
【００２５】
請求項１に記載の健康器具は、膝にかけるべく複数本の紐を束ねた紐状体と、足裏を押圧すべく該紐状体に設けられる板状体とにより環状に形成されてなるために、使用者は椅子等に座って足を床から浮かした状態で、足裏に板状体を当接しながら膝に紐状体をかけ、板状体を支点として足先及び踵を上下に動かすだけでよい。従って、場所を選ばずに使用することができると共に、使用者にかかる負担も非常に少ないので、無理なく長期にわたって継続使用できるという効果がある。
【００２６】
請求項２に記載の健康器具は、膝にかけるべく複数本の紐を束ねた環状の紐状体と、足裏を押圧すべく該紐状体に設けられる板状体とを備えてなるために、使用者は椅子等に座って足を床から浮かした状態で、足裏に板状体を当接しながら膝に紐状体をかけ、板状体を支点として足先及び踵を上下に動かすだけでよい。従って、場所を選ばずに使用することができると共に、使用者にかかる負担も非常に少ないので、無理なく長期にわたって継続使用できるという効果がある。
【００２７】
また、請求項１及び２に記載の健康器具は、膝にある経穴や神経が紐状体により押圧されると共に、足裏にある経穴や神経が板状体により押圧されるために、種々の効能、効果を簡単に得られるという効果がある。
【００２８】
また、かかる一連の運動は足部を床から浮かし状態で行うものであるために、腹筋が鍛えられるのは勿論のこと、膝の運動にもなるという効果を奏する。
【００２９】
さらに、全体の構成が極めて簡易であるために、その製作も容易に且つ安価に行えるという実用的な効果もある。
【００３０】
請求項３に記載の健康器具は、請求項１又は２に記載の健康器具おいて、前記複数本の紐を所定間隔を有して結着紐により結着してなるために、運動中に各紐が不用意に離脱するようなことはなく、しっかりした紐状体を形成できる効果を奏する。
【００３１】
請求項４に記載の健康器具は、請求項１乃至３の何れかに記載の健康器具において、前記紐及び結着紐が撚りをかけたポリプロピレン製のロープで構成されてなるために、皮革や布とは異なり必要以上に伸びるようなことはなく、その適度の伸縮により膝及び足裏に無理のない適切な押圧力を作用させることができる。また、紐状体自体の強度を確保し得るので、長期間の使用にも十分耐え得る耐久性を有することになる。しかも、直接皮膚に当てて使用しても膝や脛等の部分を傷つけるようなこともなく安全に運動できるのは勿論、安価で且つ容易に製造できるという特有の効果がある。
【００３２】
請求項５に記載の健康器具は、請求項１乃至４の何れかに記載の健康器具において、前記板状体の両側に紐状体を挿入するための切欠を設けると共に、該切欠に連通させて前記紐状体を挿着するための円孔が設けられており、しかも該円孔の内径は前記切欠の幅よりも大なる寸法に設定されてなるために、紐状体を切欠から挿入して円孔内に挿着するという簡易な作業により、板状体を紐状体に確実且つ強固に取着できて一連の製作の簡略化に寄与し得る効果がある。
【００３３】
請求項６に記載の健康器具は、請求項１乃至５の何れかに記載の健康器具において、前記板状体が２枚の板材を重ね合わせて構成されてなるために、１枚の板材で構成した場合に比して、足裏に作用する力が軽減されて適度なものとなり、よって足裏が痛くなるようなこともなくなるという効果を奏する。
【００３４】
請求項７に記載の健康器具は、請求項１乃至６の何れかに記載の健康器具において、前記板状体のうち下方側の板材の外周面が円弧状のテーパ面で構成されてなるために、その分だけ健康器具の軽量化が図れることになり、使用者への負担を軽減できるという効果がある。
【００３５】
請求項８に記載の健康器具は、請求項１乃至７の何れかに記載の健康器具において、前記板状体が可製撓性を有する合成樹脂からなるために、一定以上の押圧力が紐状体から作用しても板状体が撓んで該押圧力が軽減されるので、使用者の足裏が保護することができるという効果を有する。
【００３６】
請求項９に記載の健康器具は、請求項１乃至８の何れかに記載の健康器具において、前記板状体の厚みが１１ｍｍで構成されてなるために、必要且つ十分な厚みが確保されることとなり、よって足裏へ押圧力が良好に作用すると共に、足裏の保護にも寄与し得る効果がある。
【考案を実施するための最良の形態】
【００３７】
図１乃至図３は本考案に係る健康器具の一実施形態を示し、図中１１は複数本の紐１１ａで構成した環状の紐状体で、紐１１ａは撚りをかけたポリプロピレン製のロープからなり、その全周は約１１３ｍｍに設定している。１１ｂは図４のように複数本の紐１１ａを束ねるために、所定間隔を有して結着したポリプロピレン製の結着紐であり、図３中の１１ｃ及び１１ｄは結着紐１１ｂの端部を示す。
【００３８】
２０は２枚の板材２１、２２を重ね合わせて構成した板状体で、可撓性を有する合成樹脂からなり、その外周面は円弧状のテーパ面として形成されている。尚、本実施形態では各板材２１、２２の厚さの計を２１ｍｍに設定しているが、厚さ２１ｍｍの１枚の板状体としても良い。
【００３９】
２３は図５に示すように各板材２１、２２の両端部に夫々形成した切欠であり、その幅Ｘは１０ｍｍに設定している。２４は切欠２３に連通して形成した円孔であり、その内径Ｙは１６ｍｍに設定している。尚、前記紐状体１１は図６に示すように切欠２３から挿入して円孔２４内に挿着する。また、前記結着紐１１ｂによる結着部分の外径Ｚは円孔２４の内径Ｙよりも大なる寸法に設定している。従って、紐状体１１への板状体２１の取着位置を適宜変更することにより、体格の異なる使用者に対しても幅広く適用することが可能である。
【００４０】
本実施形態は以上のような構成からなり、次にかかる健康器具１０の使用例について説明する。先ず、図７及び図８に示すように使用者Ｍはその足部Ｆが床に付かないように、且つ大腿部Ａが椅子Ｓから前方に突出するように着席する。その後、健康器具１０の板状体２０の上面２０ａを足裏Ｄに当接した状態で、紐状体１１を膝Ｂの上部にかけて保持する。
【００４１】
この状態で図９の矢印（ハ）のように板状体２０に当接した足裏Ｄの部位を支点として足先部分Ｅ及び踵部分Ｆを上下に動かす踏込み運動を繰返し行うのである。
【００４２】
この場合において、紐状体１１は複数本の紐１１ａを所定間隔を有して結着紐１１ｂにより結着しているために、運動中に各紐１１ａが不用意に離脱するようなことはない。
【００４３】
そして、上記のような運動を一定期間行うことにより、膝Ｂの部分に存在する梁丘という経穴が紐状体１１によって適度に押圧されるために、胃痛等が解消されて胃が軽くなってすっきりするという効能、効果を得ることができる。
【００４４】
また、この場合において紐状体１１をかける膝Ｂの部位を変更して伏兎、陰市という経穴を押圧すれば、膝痛の解消という効能、効果が得られる他、かかる部位に存在する神経等も刺激されて健康の維持、増進が図れることになる。
【００４５】
さらに、足裏Ｄに多数存在する経穴や神経も板状体２０の上部側の板材２１の上面角部により適度に押圧されて刺激されるため、種々の効能、効果を得ることができる。
【００４６】
また、かかる一連の運動は、足部Ｆを床から浮かし且つ大腿部Ａを椅子Ｓから前方に突出させた状態で行うものであるために、腹筋が鍛えられるのは勿論のこと、膝Ｂの運動にもなるという利点がある。しかも、使用者Ｍに負担をかけることなく、どこでも簡単に運動を行うことができるので、継続性という面においても優れており、上記のような効能や効果等を確実且つ長期にわたって得ること可能になる。
【００４７】
さらに、撚りをかけたポリプロピレン製のロープからなる紐１１ａで紐状体１１を構成しているために、皮革や布とは異なり必要以上に伸びるようなことはなく、図９矢印（イ）及び（ロ）に示すように、その適度の伸縮により膝Ｂ及び足裏Ｄに無理のない適切な押圧力を作用させることができる。また、紐状体１１自体が強度的に丈夫なものとなるので、長期間の使用にも十分耐え得る耐久性を有する。しかも、直接皮膚に当てて使用しても膝Ｂや脛Ｃ等の部分を傷つけるようなこともなく安全に運動できるのは勿論、安価で且つ容易に製造できるという利点がある。
【００４８】
また、板状体２０を２枚の板材２１、２２を重ね合わせて構成しているために、１枚の板材で構成する場合に比して、足裏Ｄに作用する力が軽減されて適度なものとなり、よって足裏Ｄが痛くなるようなこともない。
【００４９】
さらに、板状体２０は可撓製を有する合成樹脂で形成してなるために、一定以上の押圧力が紐状体１１から作用しても板状体２０が撓んで押圧力が軽減されるので、これによっても使用者Ｍの足裏Ｄが保護されるのである。
【００５０】
また、板状体２０の各板材２１、２２の外周面を円弧状のテーパ面に形成しているために、健康器具１０の軽量化が図れることとなり、よって使用者Ｍへの負担を軽減できるという利点もある。
【００５１】
さらに、本実施形態に係る健康器具１０は全体の構成が極めて簡易であるために、その製作も容易に且つ安価に行えるという実用的な効果もある。
【００５２】
尚、上記実施形態においては、紐状体１１を環状に形成したが、本考案はこれに限定されるものではなく、例えば図１０のように１本の紐状体１１の両端部を夫々板状体２０に取着して健康器具を構成することも可能である。この場合も、上記実施形態の場合と同様の作用効果を得ることができる。
【００５３】
また、該実施形態では、紐状体１１をポリプロピレン製のロープで構成しているが、その具体的な素材も決してこれに限定されない。但し、使用者の皮膚に直接接触する場合があること等を考慮すれば、皮膚に優しい素材の選定が望ましく、また必要以上に伸長したり重い素材は好ましくない。
【００５４】
さらに、紐状体１１の全長も上記実施形態の寸法に限られず、他に全周１０３ｍｍ、１０６ｍｍ、１０９ｍｍ、１１６ｍｍ、１１９ｍｍ等からなる紐状体１１を用意しておけば、体格の異なる使用者Ｍにも幅広く対応することが可能となる。
【００５５】
また、上記実施形態では、２枚の板材２１、２２を重ね合わせて板状体２０を構成したが、
１枚の板材のみ或いは３枚以上の板材で構成することも可能である。
【００５６】
さらに、板状体２０に所定寸法及び形状からなる切欠２３及び円孔２４を形成しているが、かかる寸法及び形状は紐状体１１の寸法や形状等に応じて任意に変更可能であり、該紐状体１１と板状体２０との取着手段も上記実施形態に限定されるものではない。
【００５７】
また、板状体２１の具体的な素材も問うものではないが、足裏Ｄの保護を考慮すれば、上記実施形態の如く運動に合わせて多少撓むようなものが好ましい。
【００５８】
さらに、板状体２１の外周面は必ずしも上記実施形態のように円弧状のテーパ面で構成する必要はなく、これは省略しても構わない。
【００５９】
その他、板状体２１の厚み等も本考案の意図する範囲内において任意に設計変更自在である。
【図面の簡単な説明】
【００６０】
【図１】本考案の健康器具の一実施形態を示す正面図である。
【図２】同実施形態の側面図である。
【図３】同実施形態の一部断面を含む正面図である。
【図４】（ａ）は同実施形態の紐状体の正面図、（ｂ）は結着部分の拡大図である。
【図５】（ａ）は同実施形態の板状体の平面図であり、（ｂ）は板状体の正面図であり、（ｃ）は板状体の側面図であり、（ｄ）は（ｃ）のＢ−Ｂ線断面図である。
【図６】図１のＡ−Ａ線断面図である。
【図７】同実施形態の使用状態を示す正面図である。
【図８】同実施形態の使用状態を示す側面図である。
【図９】同実施形態の使用状態を示す側面図である。
【図１０】他の実施形態を示す健康器具の正面図である。
【図１１】特許文献１の健康器具の使用状態を示す正面図である。
【符号の説明】
【００６１】
１１      紐状体  
１１ａ    紐
１１ｂ    結着紐
２０      板状体
２１      板材
２２      板材
２３      切欠
２４      円孔
【図１】
0003130996.tif 000003
【図２】
0003130996.tif 000004
【図３】
0003130996.tif 000005
【図４】
0003130996.tif 000006
【図５】
0003130996.tif 000007
【図６】
0003130996.tif 000008
【図７】
0003130996.tif 000009
【図８】
0003130996.tif 000010
【図９】
0003130996.tif 000011
【図１０】
0003130996.tif 000012
【図１１】
0003130996.tif 000013
【手続補正書】
【提出日】平成19年2月8日(2007.2.8)
【手続補正１】
【補正対象書類名】実用新案登録請求の範囲
【補正対象項目名】全文
【補正方法】変更
【補正の内容】
【実用新案登録請求の範囲】
【請求項１】
膝にかけるべく複数本の紐を束ねた紐状体と、足裏を押圧すべく該紐状体に設けられる板状体とにより環状に形成されてなることを特徴とする健康器具。
【請求項２】
膝にかけるべく複数本の紐を束ねた環状の紐状体と、足裏を押圧すべく該紐状体に設けられる板状体とを備えてなることを特徴とする健康器具。
【請求項３】
前記複数本の紐を束ねるべく該紐が所定間隔を有して結着紐により結着されてなる請求項１又は２記載の健康器具。
【請求項４】
前記紐及び結着紐が撚りをかけたポリプロピレン製のロープで構成されてなる請求項１乃至３の何れかに記載の健康器具。
【請求項５】
前記板状体の両側に紐状体を挿入するための切欠が設けられ、且つ該切欠に連通させて前記紐状体を挿着するための円孔が設けられてなり、しかも該円孔の内径は前記切欠の幅よりも大なる寸法に設定されてなる請求項１乃至４の何れかに記載の健康器具。
【請求項６】
前記板状体が２枚の板材を重ね合わせて構成されてなる請求項１乃至５の何れかに記載の健康器具。
【請求項７】
前記板状体のうち下方側の板材の外周面が円弧状のテーパ面で構成されてなる請求項１乃至６の何れかに記載の健康器具。
【請求項８】
前記板状体が可撓性を有する合成樹脂からなる請求項１乃至７の何れかに記載の健康器具。
【請求項９】
前記板状体の厚みが１１ｍｍで構成されてなる請求項１乃至８の何れかに記載の健康器具。
【手続補正２】
【補正対象書類名】明細書
【補正対象項目名】全文
【補正方法】変更
【補正の内容】
【考案の詳細な説明】
【技術分野】
【０００１】
本考案は健康器具、さらに詳しくは例えば経穴や神経を押圧して刺激を与えることにより、血行を良くして体調を整えると共に、腹筋や膝の運動をも図ることができる健康器具に関する。
【背景技術】
【０００２】
近年の健康ブーム、フィットネスブームによって健康器具の市場は大幅に拡大しており、極めて広範囲な分野において多種多様な商品が開発、販売されるに至っている。その一例としては、例えば次に示すような健康器具が存在する。
【特許文献１】実登第３０４５３４８号公報（第４頁、図１）。
【０００３】
即ち、この従来の健康器具は、図１１に示すように回転取手３０の回転操作により基台３１上に配設した平板３２の一端側が上昇するように構成したものであり、該一端側に設けた柱３３に固定した腰バンド３４を使用者３５の腰に装着して、腰や顎の疲労を回復を図れるようにしたものである。
【考案の開示】
【考案が解決しようとする課題】
【０００４】
しかしながら、上記従来の健康器具は、全体の構成がとても複雑であり、製作費用が嵩むという問題点を有していた。
【０００５】
また、腰バンド３４の腰への装着や器具の操作等が非常に厄介であるため、従来一般にこの種の健康器具が有していた使用の継続の困難性という面を具有する欠点もあった。
【０００６】
本考案は、かかる問題点を解消すべくなされたものであり、全体の構成が非常に簡易で、且つ使用者に負担をかけずに長期にわたって継続使用でき、しかも良好な効能、効果が得られる健康器具を提供することを目的とする。
【課題を解決するための手段】
【０００７】
請求項１に記載の健康器具は、膝にかけるべく複数本の紐を束ねた紐状体と、足裏を押圧すべく該紐状体に設けられる板状体とにより環状に形成されてなることを特徴とする。
【０００８】
請求項１に記載の考案にあっては、使用者は椅子等に座って足を床から浮かした状態で、板状体を当てながら膝に紐状体をかけて健康器具を使用する。そして、この状態で板状体に当接した足裏部分を支点として足先及び踵を上下に動かすと、紐状体により膝にある経穴や神経が押圧されると共に、板状体により足裏の経穴や神経が押圧されることになる。
【０００９】
請求項２に記載の健康器具は、膝にかけるべく複数本の紐を束ねた環状の紐状体と、足裏を押圧すべく該紐状体に設けられる板状体とを備えてなることを特徴とする。
【００１０】
請求項２に記載の考案にあっては、使用者は椅子等に座って足を床から浮かした状態で、足裏に板状体を当てながら膝に紐状体をかけて健康器具を使用する。そして、この状態で板状体に当接した足裏部分を支点として足先及び踵を上下に動かすと、紐状体により膝にある経穴や神経が押圧されると共に、板状体により足裏の経穴や神経が押圧されることになる。
【００１１】
請求項３に記載の健康器具は、請求項１又は２記載の健康器具において、前記複数本の紐を束ねるべく該紐が所定間隔を有して結着紐により結着されてなることを特徴とする。
【００１２】
請求項３に記載の考案にあっては、複数本の紐が所定間隔を有して結着紐により結着されて良好に束ねられることになる。
【００１３】
請求項４に記載の健康器具は、請求項１乃至３の何れかに記載の健康器具において、前記紐及び結着紐が撚りをかけたポリプロピレン製のロープで構成されてなることを特徴とする。
【００１４】
請求項４に記載の考案にあっては、上記にような足部に運動により紐状体が適度に伸縮して、その押圧力が膝と、板状体を介して足裏とに作用することになる。
【００１５】
請求項５に記載の健康器具は、請求項１乃至４の何れかに記載の健康器具において、前記板状体の両側に紐状体を挿入するための切欠が設けられ、且つ該切欠に連通させて前記紐状体を挿着するための円孔が設けられてなり、しかも該円孔の内径は前記切欠の幅よりも大なる寸法に設定されてなることを特徴とする。
【００１６】
請求項５に記載の考案にあっては、紐状体は板状体の切欠から挿入して該切欠の幅よりも大なる内径を有する円孔内に挿着することにより、板状体を紐状体に取着できる。
【００１７】
請求項６に記載の健康器具は、請求項１乃至５の何れかに記載の健康器具において、前記板状体が２枚の板材を重ね合わせて構成されてなることを特徴とする。
【００１８】
請求項６に記載の考案にあっては、上記のように紐状体からの押圧力は２枚の板材を介して足裏に作用することになる。
【００１９】
請求項７に記載の健康器具は、請求項１乃至６の何れかに記載の健康器具において、前記板状体のうち下方側の板材の外周面が円弧状のテーパ面で構成されてなることを特徴とする。
【００２０】
請求項７に記載の考案にあっては、外周面が円弧状のテーパ面に構成されて板状体の重量が軽減されることになる。
【００２１】
請求項８に記載の健康器具は、請求項１乃至７の何れかに記載の健康器具において、前記板状体が可撓性を有する合成樹脂からなることを特徴とする。
【００２２】
請求項８に記載の考案にあっては、紐状体から一定以上の押圧力が板状体に作用した場合、板状体が撓んで押圧力が軽減され、これが足裏に作用することになる。
【００２３】
請求項９に記載の健康器具は、請求項１乃至８の何れかに記載の健康器具において、前記板状体の厚みが１１ｍｍで構成されてなることを特徴とする。
【００２４】
請求項９に記載の考案にあっては、紐状体の押圧力が１１ｍｍの厚みを有する板状体を介して足裏に作用することになる。
【考案の効果】
【００２５】
請求項１に記載の健康器具は、膝にかけるべく複数本の紐を束ねた紐状体と、足裏を押圧すべく該紐状体に設けられる板状体とにより環状に形成されてなるために、使用者は椅子等に座って足を床から浮かした状態で、足裏に板状体を当接しながら膝に紐状体をかけ、板状体を支点として足先及び踵を上下に動かすだけでよい。従って、場所を選ばずに使用することができると共に、使用者にかかる負担も非常に少ないので、無理なく長期にわたって継続使用できるという効果がある。
【００２６】
請求項２に記載の健康器具は、膝にかけるべく複数本の紐を束ねた環状の紐状体と、足裏を押圧すべく該紐状体に設けられる板状体とを備えてなるために、使用者は椅子等に座って足を床から浮かした状態で、足裏に板状体を当接しながら膝に紐状体をかけ、板状体を支点として足先及び踵を上下に動かすだけでよい。従って、場所を選ばずに使用することができると共に、使用者にかかる負担も非常に少ないので、無理なく長期にわたって継続使用できるという効果がある。
【００２７】
また、請求項１及び２に記載の健康器具は、膝にある経穴や神経が紐状体により押圧されると共に、足裏にある経穴や神経が板状体により押圧されるために、種々の効能、効果を簡単に得られるという効果がある。
【００２８】
また、かかる一連の運動は足部を床から浮かし状態で行うものであるために、腹筋が鍛えられるのは勿論のこと、膝の運動にもなるという効果を奏する。
【００２９】
さらに、全体の構成が極めて簡易であるために、その製作も容易に且つ安価に行えるという実用的な効果もある。
【００３０】
請求項３に記載の健康器具は、請求項１又は２に記載の健康器具おいて、前記複数本の紐を所定間隔を有して結着紐により結着してなるために、運動中に各紐が不用意に離脱するようなことはなく、しっかりした紐状体を形成できる効果を奏する。
【００３１】
請求項４に記載の健康器具は、請求項１乃至３の何れかに記載の健康器具において、前記紐及び結着紐が撚りをかけたポリプロピレン製のロープで構成されてなるために、皮革や布とは異なり必要以上に伸びるようなことはなく、その適度の伸縮により膝及び足裏に無理のない適切な押圧力を作用させることができる。また、紐状体自体の強度を確保し得るので、長期間の使用にも十分耐え得る耐久性を有することになる。しかも、直接皮膚に当てて使用しても膝や脛等の部分を傷つけるようなこともなく安全に運動できるのは勿論、安価で且つ容易に製造できるという特有の効果がある。
【００３２】
請求項５に記載の健康器具は、請求項１乃至４の何れかに記載の健康器具において、前記板状体の両側に紐状体を挿入するための切欠を設けると共に、該切欠に連通させて前記紐状体を挿着するための円孔が設けられており、しかも該円孔の内径は前記切欠の幅よりも大なる寸法に設定されてなるために、紐状体を切欠から挿入して円孔内に挿着するという簡易な作業により、板状体を紐状体に確実且つ強固に取着できて一連の製作の簡略化に寄与し得る効果がある。
【００３３】
請求項６に記載の健康器具は、請求項１乃至５の何れかに記載の健康器具において、前記板状体が２枚の板材を重ね合わせて構成されてなるために、１枚の板材で構成した場合に比して、足裏に作用する力が軽減されて適度なものとなり、よって足裏が痛くなるようなこともなくなるという効果を奏する。
【００３４】
請求項７に記載の健康器具は、請求項１乃至６の何れかに記載の健康器具において、前記板状体のうち下方側の板材の外周面が円弧状のテーパ面で構成されてなるために、その分だけ健康器具の軽量化が図れることになり、使用者への負担を軽減できるという効果がある。
【００３５】
請求項８に記載の健康器具は、請求項１乃至７の何れかに記載の健康器具において、前記板状体が可撓性を有する合成樹脂からなるために、一定以上の押圧力が紐状体から作用しても板状体が撓んで該押圧力が軽減されるので、使用者の足裏が保護することができるという効果を有する。
【００３６】
請求項９に記載の健康器具は、請求項１乃至８の何れかに記載の健康器具において、前記板状体の厚みが１１ｍｍで構成されてなるために、必要且つ十分な厚みが確保されることとなり、よって足裏へ押圧力が良好に作用すると共に、足裏の保護にも寄与し得る効果がある。
【考案を実施するための最良の形態】
【００３７】
図１乃至図３は本考案に係る健康器具の一実施形態を示し、図中１１は複数本の紐１１ａで構成した環状の紐状体で、紐１１ａは撚りをかけたポリプロピレン製のロープからなり、その全周は約１１３ｍｍに設定している。１１ｂは図４のように複数本の紐１１ａを束ねるために、所定間隔を有して結着したポリプロピレン製の結着紐であり、図３中の１１ｃ及び１１ｄは結着紐１１ｂの端部を示す。
【００３８】
２０は２枚の板材２１、２２を重ね合わせて構成した板状体で、可撓性を有する合成樹脂からなり、その外周面は円弧状のテーパ面として形成されている。尚、本実施形態では各板材２１、２２の厚さの計を２１ｍｍに設定しているが、厚さ２１ｍｍの１枚の板状体としても良い。
【００３９】
２３は図５に示すように各板材２１、２２の両端部に夫々形成した切欠であり、その幅Ｘは１０ｍｍに設定している。２４は切欠２３に連通して形成した円孔であり、その内径Ｙは１６ｍｍに設定している。尚、前記紐状体１１は図６に示すように切欠２３から挿入して円孔２４内に挿着する。また、前記結着紐１１ｂによる結着部分の外径Ｚは円孔２４の内径Ｙよりも大なる寸法に設定している。従って、紐状体１１への板状体２１の取着位置を適宜変更することにより、体格の異なる使用者に対しても幅広く適用することが可能である。
【００４０】
本実施形態は以上のような構成からなり、次にかかる健康器具１０の使用例について説明する。先ず、図７及び図８に示すように使用者Ｍはその足部Ｆが床に付かないように、且つ大腿部Ａが椅子Ｓから前方に突出するように着席する。その後、健康器具１０の板状体２０の上面２０ａを足裏Ｄに当接した状態で、紐状体１１を膝Ｂの上部にかけて保持する。
【００４１】
この状態で図９の矢印（ハ）のように板状体２０に当接した足裏Ｄの部位を支点として足先部分Ｅ及び踵部分Ｆを上下に動かす踏込み運動を繰返し行うのである。
【００４２】
この場合において、紐状体１１は複数本の紐１１ａを所定間隔を有して結着紐１１ｂにより結着しているために、運動中に各紐１１ａが不用意に離脱するようなことはない。
【００４３】
そして、上記のような運動を一定期間行うことにより、膝Ｂの部分に存在する梁丘という経穴が紐状体１１によって適度に押圧されるために、胃痛等が解消されて胃が軽くなってすっきりするという効能、効果を得ることができる。
【００４４】
また、この場合において紐状体１１をかける膝Ｂの部位を変更して伏兎、陰市という経穴を押圧すれば、膝痛の解消という効能、効果が得られる他、かかる部位に存在する神経等も刺激されて健康の維持、増進が図れることになる。
【００４５】
さらに、足裏Ｄに多数存在する経穴や神経も板状体２０の上部側の板材２１の上面角部により適度に押圧されて刺激されるため、種々の効能、効果を得ることができる。
【００４６】
また、かかる一連の運動は、足部Ｆを床から浮かし且つ大腿部Ａを椅子Ｓから前方に突出させた状態で行うものであるために、腹筋が鍛えられるのは勿論のこと、膝Ｂの運動にもなるという利点がある。しかも、使用者Ｍに負担をかけることなく、どこでも簡単に運動を行うことができるので、継続性という面においても優れており、上記のような効能や効果等を確実且つ長期にわたって得ること可能になる。
【００４７】
さらに、撚りをかけたポリプロピレン製のロープからなる紐１１ａで紐状体１１を構成しているために、皮革や布とは異なり必要以上に伸びるようなことはなく、図９矢印（イ）及び（ロ）に示すように、その適度の伸縮により膝Ｂ及び足裏Ｄに無理のない適切な押圧力を作用させることができる。また、紐状体１１自体が強度的に丈夫なものとなるので、長期間の使用にも十分耐え得る耐久性を有する。しかも、直接皮膚に当てて使用しても膝Ｂや脛Ｃ等の部分を傷つけるようなこともなく安全に運動できるのは勿論、安価で且つ容易に製造できるという利点がある。
【００４８】
また、板状体２０を２枚の板材２１、２２を重ね合わせて構成しているために、１枚の板材で構成する場合に比して、足裏Ｄに作用する力が軽減されて適度なものとなり、よって足裏Ｄが痛くなるようなこともない。
【００４９】
さらに、板状体２０は可撓製を有する合成樹脂で形成してなるために、一定以上の押圧力が紐状体１１から作用しても板状体２０が撓んで押圧力が軽減されるので、これによっても使用者Ｍの足裏Ｄが保護されるのである。
【００５０】
また、板状体２０の各板材２１、２２の外周面を円弧状のテーパ面に形成しているために、健康器具１０の軽量化が図れることとなり、よって使用者Ｍへの負担を軽減できるという利点もある。
【００５１】
さらに、本実施形態に係る健康器具１０は全体の構成が極めて簡易であるために、その製作も容易に且つ安価に行えるという実用的な効果もある。
【００５２】
尚、上記実施形態においては、紐状体１１を環状に形成したが、本考案はこれに限定されるものではなく、例えば図１０のように１本の紐状体１１の両端部を夫々板状体２０に取着して健康器具を構成することも可能である。この場合も、上記実施形態の場合と同様の作用効果を得ることができる。
【００５３】
また、該実施形態では、紐状体１１をポリプロピレン製のロープで構成しているが、その具体的な素材も決してこれに限定されない。但し、使用者の皮膚に直接接触する場合があること等を考慮すれば、皮膚に優しい素材の選定が望ましく、また必要以上に伸長したり重い素材は好ましくない。
【００５４】
さらに、紐状体１１の全長も上記実施形態の寸法に限られず、他に全周１０３ｍｍ、１０６ｍｍ、１０９ｍｍ、１１６ｍｍ、１１９ｍｍ等からなる紐状体１１を用意しておけば、体格の異なる使用者Ｍにも幅広く対応することが可能となる。
【００５５】
また、上記実施形態では、２枚の板材２１、２２を重ね合わせて板状体２０を構成したが、
１枚の板材のみ或いは３枚以上の板材で構成することも可能である。
【００５６】
さらに、板状体２０に所定寸法及び形状からなる切欠２３及び円孔２４を形成しているが、かかる寸法及び形状は紐状体１１の寸法や形状等に応じて任意に変更可能であり、該紐状体１１と板状体２０との取着手段も上記実施形態に限定されるものではない。
【００５７】
また、板状体２１の具体的な素材も問うものではないが、足裏Ｄの保護を考慮すれば、上記実施形態の如く運動に合わせて多少撓むようなものが好ましい。
【００５８】
さらに、板状体２１の外周面は必ずしも上記実施形態のように円弧状のテーパ面で構成する必要はなく、これは省略しても構わない。
【００５９】
その他、板状体２１の厚み等も本考案の意図する範囲内において任意に設計変更自在である。
【図面の簡単な説明】
【００６０】
【図１】本考案の健康器具の一実施形態を示す正面図である。
【図２】同実施形態の側面図である。
【図３】同実施形態の一部断面を含む正面図である。
【図４】（ａ）は同実施形態の紐状体の正面図、（ｂ）は結着部分の拡大図である。
【図５】（ａ）は同実施形態の板状体の平面図であり、（ｂ）は板状体の正面図であり、（ｃ）は板状体の側面図であり、（ｄ）は（ｃ）のＢ−Ｂ線断面図である。
【図６】図１のＡ−Ａ線断面図である。
【図７】同実施形態の使用状態を示す正面図である。
【図８】同実施形態の使用状態を示す側面図である。
【図９】同実施形態の使用状態を示す側面図である。
【図１０】他の実施形態を示す健康器具の正面図である。
【図１１】特許文献１の健康器具の使用状態を示す正面図である。
【符号の説明】
【００６１】
１１      紐状体  
１１ａ    紐
１１ｂ    結着紐
２０      板状体
２１      板材
２２      板材
２３      切欠
２４      円孔